(57)【要約】【課題】本発明は、極めて商品価値の高い画期的な健康促進用器具を提供することを目的とする。【解決手段】健康を促進するための健康促進用器具であって、器具本体１に高電位物質３及び低電位物質４を配して成る微電流発生部２が設けられたものである。【選択図】図１
2008237307.tif 000002
【特許請求の範囲】
【請求項１】
健康を促進するための健康促進用器具であって、器具本体に高電位物質及び低電位物質を配して成る微電流発生部が設けられていることを特徴とする健康促進用器具。
【請求項２】
請求項１記載の健康促進用器具において、前記微電流発生部は、前記高電位物質の周囲に前記低電位物質が囲繞状態で配され、この高電位物質と低電位物質との間には導電体が設けられた構成であることを特徴とする健康促進用器具。
【請求項３】
請求項１記載の健康促進用器具において、前記微電流発生部は、前記低電位物質の周囲に前記高電位物質が囲繞状態で配され、この低電位物質と高電位物質との間には導電体が設けられた構成であることを特徴とする健康促進用器具。
【請求項４】
請求項１〜３いずれか１項に記載の健康促進用器具において、前記高電位物質として、炭素、珪素、チタン若しくはトルマリンを採用したことを特徴とする健康促進用器具。
【請求項５】
請求項１〜３いずれか１項に記載の健康促進用器具において、前記低電位物質として、カルシウム若しくはマグネシウムを採用したことを特徴とする健康促進用器具。
【請求項６】
請求項１〜５いずれか１項に記載の健康促進用器具において、前記器具本体は適度な弾性を有する板状体であることを特徴とする健康促進用器具。
【請求項７】
請求項１〜６いずれか１項に記載の健康促進用器具において、前記健康促進用器具は枕であることを特徴とする健康促進用器具。
【発明の詳細な説明】
【技術分野】
【０００１】
本発明は、健康促進用器具に関するものである。
【背景技術】
【０００２】
近年、健康に対する関心が益々高まり、健康の促進を目的とした健康促進用器具が種々提案される中、例えば実用新案登録第３０７１４６６号や実用新案登録第３０６０２３４号に開示される枕（以下、従来例という。）が提案されている。
【０００３】
この従来例は、枕本体内に炭を充填したものであり、頭を載せるだけで炭が持つ遠赤外線による血行促進効果が得られるように構成されたものである。
【０００４】
【特許文献１】実用新案登録第３０７１４６６号公報
【特許文献２】実用新案登録第３０６０２３４号公報
【発明の開示】
【発明が解決しようとする課題】
【０００５】
ところが、従来例は、前述した炭による効果を十分に得るためには多量の炭が必要であり、よって、例えば外出の際に持ち運ぼうとすると、重くて大型である為、非常に不便である。枕が変わると眠れない人など、枕を持ち運びたいという人は増えているが、前述した問題点を理由に持ち運び出来ないのが現状である。
【０００６】
本発明は、前述した問題点を解決したもので、極めて商品価値の高い画期的な健康促進用器具を提供することを目的とする。
【課題を解決するための手段】
【０００７】
添付図面を参照して本発明の要旨を説明する。
【０００８】
健康を促進するための健康促進用器具であって、器具本体１に高電位物質３及び低電位物質４を配して成る微電流発生部２が設けられていることを特徴とする健康促進用器具に係るものである。
【０００９】
また、請求項１記載の健康促進用器具において、前記微電流発生部２は、前記高電位物質３の周囲に前記低電位物質４が囲繞状態で配され、この高電位物質３と低電位物質４との間には導電体７が設けられた構成であることを特徴とする健康促進用器具に係るものである。
【００１０】
また、請求項１記載の健康促進用器具において、前記微電流発生部２は、前記低電位物質４の周囲に前記高電位物質３が囲繞状態で配され、この低電位物質４と高電位物質３との間には導電体７が設けられた構成であることを特徴とする健康促進用器具に係るものである。
【００１１】
また、請求項１〜３いずれか１項に記載の健康促進用器具において、前記高電位物質３として、炭素、珪素、チタン若しくはトルマリンを採用したことを特徴とする健康促進用器具に係るものである。
【００１２】
また、請求項１〜３いずれか１項に記載の健康促進用器具において、前記低電位物質４として、カルシウム若しくはマグネシウムを採用したことを特徴とする健康促進用器具に係るものである。
【００１３】
また、請求項１〜５いずれか１項に記載の健康促進用器具において、前記器具本体１は適度な弾性を有する板状体であることを特徴とする健康促進用器具に係るものである。
【００１４】
また、請求項１〜６いずれか１項に記載の健康促進用器具において、前記健康促進用器具は枕であることを特徴とする健康促進用器具に係るものである。
【発明の効果】
【００１５】
本発明は上述のように構成したから、良好な血行促進効果が得られ、しかも、軽量コンパクト化が確実に達成されて持ち運びに非常に便利であるなど極めて商品価値の高い画期的な健康促進用器具となる。
【発明を実施するための最良の形態】
【００１６】
好適と考える本考案の実施形態を、図面に基づいて本考案の作用を示して簡単に説明する。
【００１７】
器具本体１に設けられる微電流発生部２に人体を当てると、電位差により高電位物質３から低電位物質４へ流れる微電流が人体に流れ（図６参照）、この微電流により血行が促進される。
【００１８】
実際に本発明者が試してみたところ、微電流発生部２に当てた人体の部位がぽかぽかと暖かくなった。また、微電流発生部２を構成する高電位物質３及び低電位物質４が少量であっても十分な血行促進効果が得られる（従来例で必要とされる炭の量に比して少量（軽量）の物質で従来例と同等の血行促進効果が得られる）ことを確認している。これは、人体に電流を積極的に流す構造としたからと考える。
【００１９】
従って、良好な血行促進効果が得られ、しかも、前述した従来例と異なり、血行を促進する部位（微電流発生部２）が少量の物質で構成される構造であるから、軽量コンパクト化が確実に達成されて持ち運びに非常に便利なものとなる。
【実施例】
【００２０】
本発明の一実施例を図面に基づいて説明する。
【００２１】
本実施例は、器具本体１の所定位置に高電位物質３及び低電位物質４を配して成る微電流発生部２を設けたものである。尚、本実施例は枕として構成しているが、本実施例の特性を発揮する構成であれば適宜採用し得るものである。
【００２２】
具体的には、器具本体１は、図１〜４に図示したように基材１Ａと、この基材１Ａの表面を被覆する表材１Ｂとで構成されている。
【００２３】
基材１Ａは、板状部材５と、この板状部材５の上下面に配されるクッション材６と、この各クッション材６の表面に配されるメッシュ材７とで構成されている。
【００２４】
板状部材５は、図２〜４に図示したように適度な弾性を有する合成樹脂製の部材（ゴム部材）で形成したものであり、樹脂内には粒状の炭素８が混入されている。
【００２５】
従って、板状部材５の弾性により枕として良好な使用感が得られ、しかも、炭素８により遠赤外線効果が得られることになる。尚、板状部材５を構成する部材としては合成樹脂製の部材に限らず、例えば適度な弾性及び多孔質性を具備したコルクでも良いなど本実施例の特性を発揮するものであれば適宜採用し得るものである。
【００２６】
また、板状部材５の中央部位には平面視円形状の貫通部５ａが一つ形成され、板状部材の左右部位には前記貫通部５ａよりも径小である平面視円形状の貫通部５ｂが二つずつ形成されている。この各貫通部５ａ，５ｂは後述する微電流発生部２を構成する部位となる。
【００２７】
クッション材６は、図２〜４に図示したように適度な弾性を有する生地で形成した面状体であり、前述した板状部材５に合致する平面形状に構成されている。
【００２８】
従って、このクッション材６の弾性により、より一層枕として良好な使用感が得られることになる。
【００２９】
メッシュ部材７は、図２〜４に図示したように炭素で形成した面状体であり、前述した板状部材５に合致する平面形状に構成されている。
【００３０】
このメッシュ部材７は、後述する微電流発生部２における高電位物質３と低電位物質４との間に配さる導電体７としての機能を発揮する。
【００３１】
従って、このメッシュ部材７により微電流発生部２の微電流を通電する機能が発揮され、しかも、このメッシュ部材７を構成する炭素によっても遠赤外線効果が得られることになる。
【００３２】
本実施例では、器具本体１に微電流発生部２を設けている。
【００３３】
具体的には、微電流発生部２は、図１〜５に図示したように前述した器具本体１に設けた計五つの貫通部５ａ，５ｂに高電位物質３（プラス電極）及び低電位物質４（マイナス電極）を配して構成されている。尚、本明細書で言う高電位物質３（プラス電極）及び低電位物質４（マイナス電極）とは、互いに比較した際に電位差のある物質（プラス電極とマイナス電極になり得る２種類の異なる物質）を示すもので、電位の高い物質を高電位物質３（プラス電極）と言い、該高電位物質３（プラス電極）よりも電位の低い物質を低電位物質４（マイナス電極）と言う。
【００３４】
本実施例では、高電位物質３としては炭素を採用している。具体的には、粒状の炭素３ａを結合材３ｂ（糊材）を介して結合したもの（後に硬化する適度な粘度を有する流状物）を貫通部５ａ、５ｂに配している。
【００３５】
また、低電位物質４としては、カルシウムを採用している。具体的には、カルシウムを円柱状に成形したもの（カルシウムを適宜な結合材を介して結合したもの）を貫通部５ａ，５ｂに配している。
【００３６】
尚、高電位物質３としては炭素に限らず、例えば珪素やチタンやトルマリンなどでも良く、また、低電位物質４としてはカルシウムに限らず、例えばマグネシウムでも良く、本実施例の特性を発揮するものであれば適宜採用し得るものである。
【００３７】
表材１Ｂは、図１〜３に図示したように適宜な生地で形成したものであり、前述した基材１Ａの周面を被覆して縫製することで器具本体１として構成されている。
【００３８】
また、本実施例では、器具本体１の中央部位と左右部位とに種類の異なる微電流発生部２を設けている。
【００３９】
即ち、器具本体１の中央部位に設けられる一つの微電流発生部２は、図２，５に図示したように高電位物質３を内側に配するとともに、この高電位物質３の周囲に低電位物質４を囲繞状態で配している。
【００４０】
従って、器具本体１の中央部位に設けられる微電流発生部２は、メッシュ部材７を導電体として内側の高電位物質３から外側の低電位物質４へ微電流が流れることになる。
【００４１】
また、左右部位に設けられる計四つの微電流発生部２は、図３，５に図示したように低電位物質４を内側に配するとともに、この低電位物質４の周囲に高電位物質３を囲繞状態で配している。
【００４２】
従って、器具本体１の中央部位に設けられる微電流発生部２は、メッシュ部材７を導電体として外側の高電位物質３から内側の低電位物質４へ微電流が流れることになる。
【００４３】
本発明者は、高電位物質３の周囲に低電位物質４を囲繞状態で配した構成の微電流発生部２に比し、低電位物質４の周囲に高電位物質３を囲繞状態で配した構成の微電流発生部２がより強い電流が生じることを確認しており、更に、器具本体１の中央部位にして図１中の二点鎖線Ｘで示した部位は、頭部を載置する部位として最適な部位であることも確認している。
【００４４】
本実施例は上述のように構成したから、図６に図示したように器具本体１の所定位置に設けられる微電流発生部２に頭部を当てると、微電流発生部２における高電位物質３から低電位物質４へ流れる微電流が人体に流れ、この微電流により血行が促進される。
【００４５】
よって、本実施例によれば、良好な血行促進効果や脳細胞活性効果が得られ、しかも、前述した従来例と異なり、血行を促進する部位（微電流発生部２）が少量の物質で構成される構造であるから、軽量コンパクト化が確実に達成されて持ち運びに非常に便利なものとなる。
【００４６】
また、本実施例は枕として構成されており、本実施例の使用（睡眠時での使用）により健康のバロメーターと言われる快眠、快食、快便のうちの快眠を助長し得るものである。
【００４７】
尚、本発明は、本実施例に限られるものではなく、各構成要件の具体的構成は適宜設計し得るものである。
【図面の簡単な説明】
【００４８】
【図１】本実施例を示す斜視図である。
【図２】図１のＡ−Ａ断面図である。
【図３】図１のＢ−Ｂ断面図である。
【図４】本実施例の分解斜視図である。
【図５】本実施例の製造状態説明図である。
【図６】本実施例の使用状態説明図である。
【符号の説明】
【００４９】
１  器具本体
２  微電流発生部
３  高電位物質
４  低電位物質
７  導電体
【図１】
2008237307.tif 000003
【図２】
2008237307.tif 000004
【図３】
2008237307.tif 000005
【図４】
2008237307.tif 000006
【図５】
2008237307.tif 000007
【図６】
2008237307.tif 000008